(57)【要約】      （修正有）【課題】洗濯、脱水による回転の機械的強度を保持したうえで、衣類等の投入口、排出口を別々に設置すること。【解決手段】開口２６ａ、２６ｂが設けられ、水平な回転軸１８を中心として回転するドラム６と、ドラム６の一対底面をなす円形端面板から張り出した回転軸１８の両端部の支軸部を受ける軸受けが固定された左右の側面板と、空気供給口１１ａと空気排出口１１ｂとが形成された上側周面部８ａと、下側周面部８ｂとによりドラム６を取り囲み、ドラム６の周面を水平方向の両側から挟むように設けられた一対の開口１２ａ、１２ｂを有する外胴５と、外胴５の一対の開口に対して夫々設けられ、夫々対応する開口の開閉を行う一対の水密扉１３と、上側周面部８ａに形成された空気供給口１１ａ及び空気排出口１１ｂを通じてドラム内に加熱空気、或は外気を流通させる空気給排部３と、側面板を貫通した回転軸１８を回転させる駆動部７とを備える。【選択図】図２
2015217249.tif 000002
【特許請求の範囲】
【請求項１】
周面に多数の貫通孔が設けられた中空の円筒状であって、周面に扉体による開閉可能な開口が設けられ、互いに対向する円形の一対の底面の中心を結ぶ軸を水平にして、これを回転軸として回転するドラムと、
内部に水が注入され、夫々が前記底面から張り出した回転軸の端部を受ける軸受けが固定された左右の側面板と、空気供給口と空気排出口とが形成された上側周面部と、集水用の凹み部から排水する下側周面部とにより前記ドラムを取り囲み、前記ドラムの周面を水平方向の両側から挟むように設けられた一対の開口を有する外胴と、
前記外胴の一対の開口に対して夫々設けられ、夫々対応する開口の開閉を行う一対の水密扉と、
前記上側周面部に形成された空気供給口及び空気排出口を通じてドラム内に加熱空気、或は外気を流通させる空気給排部と、
前記側面部を貫通した回転軸を回転させることにより、ドラム内の衣類等を洗濯し、脱水処理し、或は前記空気給排部とともに作動して加熱乾燥、冷却を行う駆動部と、
を備えたことを特徴とする業務用洗濯脱水乾燥装置。
【請求項２】
前記空気排出口から排出された空気を大気中に放出させるための空気排出経路は、前記空気排出経路内の空気流の上流側に起立した金網の目を通して大気に放出する通風路と、前記金網の下流側に配置され、前記金網の目を通さずに流れた空気流を濾過するフィルタを通して大気に放出する通風路とが備えられ、
前記加熱乾燥中には金網を有する通風路が通気状態とされ、一方、加熱乾燥後のドラム内への外気供給による洗濯物の冷却中には前記フィルタを有する通風路が通気状態とされ、かつ冷却中に金網に振動が付与されることを特徴とする請求項１記載の業務用洗濯脱水乾燥装置。
【請求項３】
仕切壁部により衣類等が搬入されるダーティールームと、環境を清浄化されるクリーンルームとに仕切られた作業室であって、前記仕切壁部には透孔が形成されており、
請求項１の業務用洗濯脱水乾燥装置の前記外胴の一方側の開口を前記ダーティールーム側に、前記外胴の他方側の開口をクリーンルーム側に配置して前記透孔を閉鎖していることを特徴とする請求項１の業務用洗濯脱水乾燥装置を用いた配置システム。
【発明の詳細な説明】
【技術分野】
【０００１】
本発明は、洗濯物の洗濯から乾燥までの処理を自動に行う業務用洗濯脱水乾燥装置および配置システムに関する。
【背景技術】
【０００２】
病院や介護福祉施設等で業務に使用されるシーツや衣類（以下衣類等と称する）に対して洗い濯ぎを行い、続けて脱水／乾燥を一連の作業を自動で行う業務用の洗濯脱水乾燥装置が、例えば特許文献１や２により知られている。
【０００３】
特許文献１に開示された装置は、円筒状ドラムの両底面において左右一対の軸受により両持ち状に支持されて洗い濯ぎ脱水を行い、また、乾燥用空気をドラムの一方側の底面に設けられた開口を経てドラム内に供給して乾燥を行うようになっている。そしてドラム周曲面に開口が設けられ、ドラムの外側を覆う外胴の一か所に形成されたドアを介して洗濯物が出し入れされる。
【０００４】
また、特許文献２に開示された装置は、円筒状ドラムの片側の底面側に支軸により片持ち状に支持され洗い濯ぎ脱水を行い、また、加熱した外気を、ドラムの他方側の底面からドラム内に供給するようになっている。また、洗濯物を投入するための投入口は他方側の底面に形成され、外胴の一か所に形成されたドアを介して洗濯物が出し入れされる。
このような洗濯脱水乾燥装置においては、外胴に設けられたドアが洗濯物の出し入れにおいて共通であり、洗濯済みの衣類等と、洗濯前の衣類等とが、同時或は時系列的に空間を共有する。また、洗濯脱水乾燥装置に汚れた衣類等を投入する作業者と、装置から洗濯済みの衣類を取り出す作業者も、同一空間で作業することになる。
【０００５】
一方、汚れた衣類等を投入する投入口と、洗濯した後の取出口を別々に設けた洗濯機として、特許文献３に示すものがある。多数の円筒状ドラムの底面同士を多連に仕切り版を介して接続しており、両持ちの軸自体を中空にして衣類等の通路にし、ドラムからドラムへ移し替えてゆく。尚、この装置は脱水、乾燥を行うものではなく、別途脱水機、乾燥機を用意して、濯ぎの終わった衣類等を乾燥機へ移し替える必要がある。脱水処理は、水を含んだ衣類等を高速回転で回すものであり、かつ衣類等を通すほど大きい径の中空を有する軸では、軸受け径が大きく、機械的強度を保つことが困難であり、また乾燥処理は衣類等の損傷を防ぐため６０度程度の温度で長時間行う必要があるため、同じ装置内に組み込むことは困難である。
【０００６】
乾燥のみを行う装置として、円筒状ドラムの両方の底面に、入り口ドアと出口ドアを設けたものが、特許文献４に開示されている。洗濯／濯ぎが終了すると菌はほぼ滅菌された状態となるので、この装置は入り口ドアと出口ドアと環境において、洗濯前の汚染された衣類等が存在する環境にはない。乾燥処理は水切りを行った衣類等に乾燥風をいきわたらせる処理のため、脱水処理に比べてドラムの回転数は低く、軸受け径は大きなものとなっている。
【先行技術文献】
【特許文献】
【０００７】
【特許文献１】特開２００６−８１７１２号公報
【特許文献２】特開２００２−３０６８９３号公報
【特許文献３】特開平５−１５４２７０号公報
【特許文献４】特開２００９−５０４２９号公報
【発明の概要】
【発明が解決しようとする課題】
【０００８】
近年、病院や各種施設では、院内感染防止などの目的で寝具類の衛生管理が重要視されており、汚れた衣類等と洗濯が終了した衣類等を区別して処理することが望まれる。
脱水、乾燥の機能を有する特許文献１、２の装置においては、入口と出口が同じであるため、汚れた衣類等と洗濯が終了した衣類等を区別することができない。脱水、乾燥機能を持たない特許文献３に開示された装置では、ドラムからドラムに移し替えて処理を行っており、入口と出口が異なるため衣類等を区別が可能であるが、装置自体が大がかりである。脱水処理には、ドラムの回転数を高めるため、装置の強度を高める必要があるが、回転軸内に衣類等が移動する空間を設けると、軸の太さが増大して軸受け機構が複雑になる。
【０００９】
本発明の目的は、洗濯、脱水による回転の機械的強度を保持したうえで、衣類等の投入口、排出口を別々に設置することにより、洗濯及び脱水、乾燥の一連の処理を一つのドラム内で完了したうえで、洗濯前の汚れた衣類等と、乾燥の完了した後の清潔な衣類等と、夫々別の空間で扱うことを可能とする業務用洗濯脱水乾燥装置を提供するにある。
【課題を解決するための手段】
【００１０】
本発明に係る業務用洗濯脱水乾燥装置は、周面に多数の貫通孔が設けられた中空の円筒状であって、周面に扉体による開閉可能な開口が設けられ、互いに対向する円形の一対の底面の中心を結ぶ軸を水平にして、これを回転軸として回転するドラムと、内部に水が注入され、夫々が前記底面から張り出した回転軸の端部を受ける軸受けが固定された左右の側面板と、空気供給口と空気排出口とが形成された上側周面部と、集水用の凹み部から排水する下側周面部とにより前記ドラムを取り囲み、前記ドラムの周面を水平方向の両側から挟むように設けられた一対の開口を有する外胴と、前記外胴の一対の開口に対して夫々設けられ、夫々対応する開口の開閉を行う一対の水密扉と、前記上側周面部に形成された空気供給口及び空気排出口を通じてドラム内に加熱空気、或は外気を流通させる空気給排部と、前記側面部を貫通した回転軸を回転させることにより、ドラム内の衣類等を洗濯し、脱水処理し、或は前記空気給排部とともに作動して乾燥、冷却を行う駆動部とを備えたことを特徴とする
【発明の効果】
【００１１】
本発明の業務用洗濯脱水乾燥装置によれば、外胴の両側であってドラムを半回転した位置に夫々開口を設けて、これに水密扉を設けることにより、業務用洗濯脱水乾燥装置の正面と背面に夫々、投入口、排出口が設置でき、ドラムを半回転するのみで、外胴の両側の開口に対してドラムの開口を向けることができる。
このため、洗濯及び脱水、乾燥の一連の処理を一つのドラム内で完了することができ、洗濯前の汚れた衣類等と、乾燥の完了した後の清潔な衣類等と、夫々別の空間で扱うことが可能となるのである。
【図面の簡単な説明】
【００１２】
【図１】業務用洗濯脱水乾燥装置の斜視図である。
【図２】ドラムと扉体及び外胴の関係を示す図である。
【図３】扉体を除いた外胴の斜視図である。
【図４】上記業務用洗濯脱水乾燥装置の正面と左右方向に切断した中央横断面を示す図である。
【図５】ドラムを回転軸に対して垂直に切断して示した図である。
【図６】乾燥用空気給排部の系統説明図である。
【図７】業務用洗濯脱水乾燥装置の設置状態を示す図である。
【発明を実施するための形態】
【００１３】
以下、本実施例に係る業務用洗濯脱水乾燥装置１００は、図１及び図２に示すように、基台１に対して、洗濯物処理部２、空気給排部３を備えている。洗濯物処理部２は、外胴５、この外胴５の内側に位置し洗濯物が投入される円筒状のドラム６、及び、このドラム６に回転力を付与する駆動部７を備えている。ドラム６は、周面に多数の貫通孔が設けられた中空の円筒状であり、互いに対向する円形の一対の底面（円形端面板１９ａ、１９ｂ）の中心を結ぶ軸を水平にして、これを回転軸１８として回転する。
【００１４】
外胴５はドラム６の外周面を包囲するように位置されるもので、図２及び図３に示すように上側周面部８ａと下側周面部８ｂを有し、これら周面部８ａ、８ｂの各側端縁を右側面板９ａと左側面板９ｂで結合され、内側にドラム６を配置される空間ａ１を有している。下側周面部８ｂ及び左右の側面板９ａ、９ｂで囲まれた領域は洗濯水を貯溜する場所として使用される。
【００１５】
上側周面部８ａにおいて空気供給口１１ｂとして機能する３つの透孔が形成され、空気排出口１１ａとして機能する２つの透孔が形成されている。そして下側周面部８ｂの最下部には集水用の凹み部８ｂ１が形成され、この凹み部８ｂ１に水を排水する排水弁１０が設けられている。この排水弁１０の出口１０ａには排水管（図示せず）が接続される。
【００１６】
外胴５には、ドラム６の周面と正対する位置に開口１２ａが形成されている。開口１２ａは、ドラム６の開口を介して衣類等を内に投入するために外胴５に設けられる（業務用洗濯脱水乾燥装置１００の正面側）。また、ドラム６の周面と正対する位置であって、開口１２ａの反対側の位置の外胴５には開口１２ｂが形成されている。開口１２ｂは、ドラム６内の衣類等を外方に取り出すために設けられている（業務用洗濯脱水乾燥装置１００の背面側）。外胴５は、ドラム６の周面を水平方向の両側から挟むように開口１２ａ、１２ｂが一対設けられる。
【００１７】
各開口１２ａ、１２ｂは四角状の開口であって、この開口を水密状に遮蔽する一対の水密扉１３が設けられ、水密扉１３にはロック状態及び非ロック状態を電気的に切り替えるロック機構１３ａ１、１３ａ２が付設されている。図示例では水密扉１３は中央に透視窓ｃ１を有する四角板状であり、各開口１２ａ、１２ｂの上端辺に支持された支軸１３ｂ回りに開閉される。
【００１８】
基台１と外胴５とは防振手段１４を介して結合されている。防振手段１４は右側面板９ａの前後箇所と、左側面板９ｂの前後箇所とにそれぞれに設けられている。それぞれの防振手段１４は基台１の受部と、右側面板９ａ又は左側面板９ｂから張り出されたブラケット１５（図３参照）との間に例えばゴム又はバネなどの弾性支持部材１６を設けた弾性支持部１４ａと、各弾性支持部１４ａの近傍に基台１と、右側面板９ａ又は左側面板９ｂの何れかとをダンパー１７で結合した運動抑制部１４ｂとで構成されている。
尚、図中４４は、操作パネルである。
【００１９】
図４、図５において、ドラム６は、ドラム６の筒状の一対底面をなす円形端面板１９ａ、１９ｂと、回転軸１８を中心とした筒状の外周壁部２０とを有している。各円形端面板１９ａ、１９ｂには補強円板２１が固着され中心箇所に回転軸１８を嵌着するための筒部材２２を固定されている。外周壁部２０は水や空気を流通させるための多数の貫通孔ｄ１を形成され、内面の周方向の一定間隔位置には断面形状を三角形の筒状の攪拌突起２３（図５）を回転軸１８に沿って内域のほぼ全範囲に渡るように設けられている。各攪拌突起部２３は補強用の角筒部材２４を介して周面壁部２０に固定されており、外周壁部２０は角筒部材２４を介して円形端面板１９ａ、１９ｂに結合されている。
【００２０】
ドラム６は図５に示すように、直径位置に仕切板２５を固設され内部を２つの室ｅ１、ｅ２に区分されている。この仕切板２５は空気や水を流通させるための多数の透孔ｄ２（図４Ｂ参照）が形成され、各端縁を対向した一対の攪拌突起２３、２３に止着され、端縁間を回転軸１８で支持されている。そして、衣類等を投入するため外胴５に設けられ開口１２ａに対して、開口２６ａが正対したとき（図５において、左側に開口１２ａがあるとき）、仕切板２５は開口２６ａの上端から、反対側では開口２６ｂの下端の間を仕切るように配置される。
【００２１】
各室ｅ１、ｅ２の夫々に対して、ドラム６の周側面には洗濯物を入れ出しするための開口２６ａ、２６ｂが形成されており、開口２６ａ、２６ａは直径方向で対向するように配置されている。各開口２６ａ、２６ａは四角状の開口であって、この開口を閉鎖する２枚の扉体２７ａ、２７ｂが設けられている。各開口２６ａ、２６ａは隣接した２つの攪拌突起部２３に固着された横向き縁材２８、２８とこれら横向き縁材２８、２８を結合した縦向き縁材２８ａとで周囲を囲まれている。２枚の扉体２７ａ、２７ｂは各開口２６ａ、２６ａの左右端部に配置されたヒンジ２９を介して縦軸回りの回動可能に支持されて外方への観音開き状に開放されるものとなっている。各水密扉１３は多数の透孔ｄ３を形成された板部材で形成されて空気や水の流通を可能とされており、内部には扉体２７ａ、２７ｂのロックを行うロック機構３０ａ、３０ｂが付設されている。
【００２２】
回転軸１８の両端部は円形端面板１９ａ、１９ｂから外側へ夫々支軸部１８ａ、１８ｂとして張り出している。右端側の支軸部１８ａは右側面板９ａ（図３参照）の透孔箇所３１に固定された軸受３２（図１参照）に支承され、また左端側の支軸部１８ｂは左側面板９ａ（図３参照）の図示しない透孔箇所に固定された軸受に両持ち状に支承される。本例では左端側の支軸部１８ｂは右端側の支軸部１８ａよりも長く形成され駆動部７（図２一点破線）から回転が付与される。
【００２３】
図６は空気給排部３の系統説明図である。空気給排部３は、ドラム６の真上範囲内の外胴５箇所に形成された空気供給口１１ｂ及び空気排出口１１ａを通じてドラム６内に加熱空気或は外気を流通させるものであり、空気供給部３ａと空気排出部３ｂを備えている。空気供給部３ａはブロアー３３から送り出された圧力空気を、通風路３４ａ、３４ｂを通じることにより空気加熱器３５を経て空気供給口１１ｂまで移送する。外胴５の空気供給口１１ｂと通風路３４ｂとは可撓管３６ａで接続されている。
【００２４】
一方、空気排出部３ｂは空気排出口１１ａから排出された空気を、通風路３７ａを通じることによりフィルタ装置３８を経て排風口３９まで移送し大気中へ放散させる。フィルタ装置３８は空気排出部３ｂの空気排出経路上における上流側の第一フィルタ４０と下流側の第二フィルタ４１を備えており、外胴５の空気排出口１１ｂと通風路３７ａとは可撓管３６ｂで接続されている。
【００２５】
第一フィルタ４０は、起立された外筒４０ａ内に配置された筒状の金網４０ｂによるフィルタである。外筒４０ａには、金網４０ｂを振動させるためのバイブレータ４０ｃが設けられている。外筒４０ａに流入した空気が金網４０ｂの内周から目を通過して外周に達するときに、リント（綿挨）を濾し出すようになっている。バイブレータ４０ｃにより金網４０ｂを振動させると、筒状の金網４０ｂの内周面に蓄積されたリントは金網４０ｂから分離され下方へ落下する。
フィルタとして金網４０ｂを用いるのは、バイブレータ４０ｃの振動が金網４０ｂ全体に伝わり、リントを落下させることができるからである。
【００２６】
第二フィルタ４１は、円筒状の保持枠４１ａ内に内挿された布袋４１ｂによるフィルタである。布袋４１ｂの内方に流入した空気が布袋４１ｂの生地を通過するときに、布袋４１ｂがこの空気に含まれるリントをその内面上に濾し出すようになっている。第二フィルタ４１と第一フィルタ４０のリントの濾過能力はほぼ同等で良い。布袋４１ｂは、これを出し入れするための開口４１ｃ１を有するケーシング４１ｃで包囲されている。ケーシング４１ｃから濾過空気を大気へ放散させるための通風路３７ｂが上方へ向け延出されており、この通風路３７ｂの上端開口が排風口３９である。
【００２７】
第一フィルタ４０側の外筒４０ａは通風路３７ｂとは短絡通風路３７ｃで連通されており、この短絡通風路３７ｃ内にはこれを開閉するための第一開閉弁４２が設けられている。また外筒４０ａとケーシング４１ｃとを接続した通風路３７ｄ内には外筒４０ａの下端の開口を開閉するための第二開閉弁４３が設けられている。バイブレータ４０ｃの振動により金網４０ｂから落下したリントは、第二開閉弁４３を介してケーシング４１ｃに落下する。
【００２８】
次に上記した業務用洗濯脱水乾燥装置１００の使用した配置システムの例について説明する。
図７において、作業室は、衣類等が搬入されるダーティールームｈ１と、環境を清浄化されるクリーンルームｈ２とに、仕切壁部ｉ１を境として区分けられている。この仕切壁部ｉ１に透孔ｉ２を形成し、業務用洗濯脱水乾燥装置１００の大部分をダーティールームｈ１内に配置してこの透孔ｉ２を閉鎖する。そして開口１２ａがクリーンルームｈ２側に、開口１２ｂがこの透孔ｉ２を通じてクリーンルームｈ２内に配置された状態とする。このように設置された本例装置１００のブロアー３３は吸気用の室内ダクト３３ａを通じて屋外の外気を吸引し、排風口３９から排出される空気は排風用の室内ダクト３９ａを通じて屋外に放散されるようにしている。これにより、クリーンルームｈ２はその通行口ｊ１の扉を閉めた状態では、投入口１２ａ又は取り出し口１２ｂが同時に開放されない限りダーティールームｈ１から離隔された空間になる。
【００２９】
業務用洗濯脱水乾燥装置１００の作動停止状態においては、外胴５の開口１２ａとドラム６の開口２６ａ又は２６ｂとが図２に示す対面配置状態となっている。作業者は、外胴５の開口１２ａと、これに対面状態となっているドラム６の開口２６ａ若しくは開口２６ｂを開放する。ダーティールームｈ１に搬入された処理すべき衣類等をドラム６内に投入して、２７ｂを閉鎖する。
【００３０】
次にドラム６を半回転させて他方の室ｅ２又はｅ１の開口２６ｂ又は２６ｂを開放して、さらに衣類等を投入した後、この水密扉１３及び２６ｂを閉鎖する。
【００３１】
次に業務用洗濯脱水乾燥装置１００を始動させる。洗い、濯ぎ、脱水及び乾燥の各処理を連続的に行わせる。洗濯処理では、まず図示しない給水手段及び洗剤供給手段などから外胴５内に洗剤や水などを供給し外胴５内の下部に貯溜させる。次に駆動部７を作動させドラム６を回転させることにより、衣類等をドラム６内で攪拌させ、洗い、濯ぎを行う。
洗濯処理が終了すると、ドラム６の回転を停止させ、排水弁１０を開放させ排水管を経て外胴５内の洗濯水を外方へ流出させる。次に排水弁１０が開放された状態の下で、駆動部７によるドラム６の回転数を増加させて脱水処理を行わせる。ドラム６内の衣類等の水分は遠心力でドラム６の透孔ｄ１を通じて外胴５側へ飛散されて凹み部８ｂ１内に集水され排水弁１０を経て外方へ排水される。
【００３２】
脱水処理が終了すると、駆動部７によりドラム６の回転を下げて、ブロアー３３を始動させ、空気加熱器３５による空気加熱を開始する。加熱された空気は、通風路３４ｂ及び空気供給口１１ａを経て外胴５内に送られ、ドラム６の外周壁部２０の前部の透孔ｄ１を通じてドラム６内に供給され、回転衣類等と接触されて衣類等の水分が蒸発する。このとき第一開閉弁４２は開放状態とし、第二開閉弁４３は閉鎖状態とする。
【００３３】
水分蒸発により湿度が上昇したドラム６内の加熱状態の空気は乾燥で生じたリントを巻き込みつつ、空気排出口１１ｂを経て空気排出部３ｂの通風路３７ａ内に排出される。通風路３７ａの空気は、第二開閉弁４３が閉鎖されているため、第一フィルタ３８の金網４０ｂの目を通過した後、通風路３７ｃ及び通風路３７ｂをこの順に流下されて排風口３９から放散される。この間、金網４０ｂの内面にリントが蓄積される。
【００３４】
乾燥処理が終了すると、空気加熱器３５の発熱を停止させ、ブロアー３３の作動を継続させる冷却運転を行う。乾燥処理と同様に、駆動部７によりドラム６を回転させる。第一開閉弁４２を閉鎖し、第二開閉弁４３を開放してバイブレータ４０ｃを作動させる。これによりドラム６内には非加熱状態の空気が継続的に流動され、衣類等が冷却される。また通風路３７ａ内を流下する空気は金網４０ｂの内周側を通過した後、通風路３７ｄ内を経てケーシング４１ｃに流下する。この際、金網４０ｂの振動でこれの内周からリントが分離／落下してケーシング４１ｃ内に至る。ケーシング４１ｃ内では布袋４１ｂ内にこのリントが濾し出される。冷却が終了するとブロアー３３を停止させる。この時点では、金網４０ｂは清浄化されており、空気給排部３の通風経路も次の衣類等の加熱状態の空気による乾燥処理に備えた状態となっている。
【００３５】
この後、外胴５の開口１２ｂと開口２６ａ又は２６ｂとの位置を重ね合わせ、ロック機構１３ａ２及びロック機構３０ａ、３０ｂを非ロック状態とする。水密扉１３をクリーンルームｈ２内において開放し、これと重なる一方の室ｅ１又はｅ２の扉体２７ａ又は２７ｂを開放して、この室ｅ１又はｅ２内の衣類等をクリーンルームｈ２内に取り出す。ドラム６を半回転させた後、他方側の室ｅ１又はｅ２内の衣類等をクリーンルームｈ２内に取り出す。取り出すことが完了したら、これを知らせる信号をダーティールームｈ１側の操作パネル４４に、取出し完了を知らせる信号を表示する。
【００３６】
ダーティールームｈ１側の作業者は、操作パネル４４の取出し完了を受けてから、業務用洗濯脱水乾燥装置１００の開口１２ａの開閉を行い、次の洗濯の作業を開始する。
【００３７】
このように、業務用洗濯脱水乾燥装置１００においては、汚れた衣類等を投入する入口と、脱水、乾燥が終了した衣類等を取り出す出口が、ドラム６の周面を両側から挟むように設けられている。従って、一方をダーティールームｈ１側に、他方をクリーンルームｈ２内に向けて、業務用洗濯脱水乾燥装置１００をダーティールームｈ１とクリーンルームｈ２の仕切り位置に配置すれば、汚れた衣類等と洗濯が終了した衣類等を区別して処理することができる。
【００３８】
また、外胴５には、ドラム６の周面と正対する位置に開口１２ａが形成されている。開口１２ａは、ドラム６の開口を介して洗濯物を内に投入するために設けられる。また、ドラム６の周面と正対する位置であって、開口１２ａの反対側の位置の外胴５には開口１２ｂが形成されている。開口１２ｂは、ドラム６内の洗濯物を外方に取り出すために設けられている。一方、ドラム６は、円形端面板１９ａ、１９ｂから外側へ張り出された支軸部１８ａ、１８ｂが、外胴５の右側面板９ａと左側面板９ｂとに夫々固定された軸受（図１、左側面板９ｂの軸受け３２参照）に両持ち状に支承されており、軸受け半径を小さくかつ両持ち軸受けであるので、脱水による高速回転に対しても構造を簡単化できる。
【００３９】
さらに、外胴５において、空気供給口１１ａ及び空気排出口１１ｂが、開口１２ａ、１２ｂよりも上側に設けられているので、空気供給口１１ａ及び空気排出口１１ｂが洗濯水に浸かることがない。
また、ドラム６は回転軸１８を中心とした点対称の位置に開口２６ａ又は２６ｂを設けているので、回転バランスを容易に取りやすい。
【００４０】
さらに、直径位置に仕切板２５を固設して、内部を２つの室ｅ１、ｅ２に区分しているので、汚れた衣類等を投入するときには図５の矢印イに示すように、ドラム６の底に向けて投げ入れるようになる。一方、衣類等を取り出すときには、図５の矢印ロのように、衣類が仕切板２５をすべり台のようにして取り出すことができ、また、取出し残しを起こすこともない。
【００４１】
また、衣類等の洗濯が繰り返されると、布袋４１ｂ内の塵埃が蓄積して目詰まりし風量が低下していくので所定の周期でリントの取出しを行う。一方、金網４０ｂは乾燥処理前には常に清掃されている状態であるので、布袋４１ｂのリントの処理は、乾燥処理前の度に行う必要はない。
【００４２】
取り出し口１２ｂから取り出された衣類等は洗濯処理により清浄化されているため、ダーティールームｈ１とは隔離されている。この衣類等はクリーンルームｈ２内の清浄な環境下で仕上げ処理される。
【００４３】
外胴５に対して、ドラム６を半回転した位置に夫々開口１２ａ、１２ｂを設けて、これに水密扉１３を設けることにより、業務用洗濯脱水乾燥装置１００の正面と背面に夫々、投入口、排出口が設置でき、ドラム６を半回転するのみで、両方の開口１２ａ、１２ｂに対してドラムの開口２６ａ、２６ｂを向けることができる。
このため、洗濯及び脱水、乾燥の一連の処理を一つのドラム６内で完了することができ、洗濯前の汚れた衣類等と、乾燥の完了した後の清潔な衣類等と、夫々別の空間で扱うことが可能となるのである。
【００４４】
なお、ドラム６の回転駆動は開口１２ａ、１２ｂ及び開口２６ａ、２６ｂの全てが閉鎖されロック機構１３ａ１、１３ａ２、３０ａ、３０ｂによりロックされた状態でのみ可能となるように構成し、また投入口１２ａ及び取り出し口１２ｂはロック機構１３ａ１、１３ａ２により、何れか一方が開放されているとき他方は開放されない構成とするのがよい。
【００４５】
上記実施例の業務用洗濯脱水乾燥装置１００ではドラム６内を仕切板２５で２室ｅ１、ｅ２に仕切っているが、この仕切板２５を省略してドラム６内を単一の室としても良い。この場合には、ドラム６の開口２６ａ、２６ｂは何れか一方を省略して、この省略箇所を外周壁部２０で覆う。例えば開口２６ｂを省略したとすれば、乾燥処理が終了してドラム６が停止するとき、１つの開口２６ａが取り出し口である開口１２ｂに正対した状態でドラム６が自動的に停止するようにその回転を制御させ、またこの停止状態でドラム６内の衣類等をクリーンルームｈ２内に取り出して取り出し口である開口１２ｂを閉鎖したときには開口２６ａが投入口である開口１２ａに正対した状態でドラム６が自動的に停止するようにその回転を制御させる。
【符号の説明】
【００４６】
１００  業務用洗濯脱水乾燥装置
２  洗濯物処理部
３  空気給排部
５  外胴
６  ドラム
１１ａ  空気供給口
１１ｂ  空気排出口
１２ａ、１２ｂ  開口
１８ａ、１８ｂ  支軸部
２６ａ、２６ｂ  開口
ｈ１  ダーティールーム
ｈ２  クリーンルーム
【図１】
2015217249.tif 000003
【図２】
2015217249.tif 000004
【図３】
2015217249.tif 000005
【図４】
2015217249.tif 000006
【図５】
2015217249.tif 000007
【図６】
2015217249.tif 000008
【図７】
2015217249.tif 000009